(57)【要約】【解決手段】上部フレームＵ、はね上げ側壁Ｔ、分割側壁Ｄ及び底板Ｓとを有する折り畳みコンテナーＣにおいて、分割側壁を構成する上部分割壁Ｄ１及び下部分割壁Ｄ２に跨がってカード差し部材Ｅ１、Ｅ２を配設したものである。【効果】分割側壁を構成する上部分割壁及び下部分割壁に跨がってカード差し部材を配設したので、空になった折り畳みコンテナーを折り畳む際に、カード差し部材に挿着されている使用済みのカードの除去を忘れても、空になった折り畳みコンテナーを折り畳むことにより、カードが、上部分割壁と下部分割壁との境で折り畳まれ、次に、折り畳みコンテナーを使用する際に、折り畳みコンテナーを組み立てると、上部分割壁と下部分割壁との境で折り畳まれたカードの上部が、突出することになり、従って、取り忘れた使用済みのカードを、確実に、カード差し部材から除去することができる。【選択図】図２
2004083142.tif 000002
【特許請求の範囲】
【請求項１】
上部フレーム、はね上げ側壁、分割側壁及び底板とを有する折り畳みコンテナーにおいて、分割側壁を構成する上部分割壁及び下部分割壁に跨がってカード差し部材を配設したことを特徴とする折り畳みコンテナー。
【発明の詳細な説明】
【技術分野】
【０００１】
本発明は、各種物品を、運搬、搬送或いは保管するために使用される折り畳み、組み立て可能な、所謂、折り畳みコンテナーに関するものである。
【背景技術】
【０００２】
従来、一方の相対する側壁を、上下方向に分割するとともに、適当なヒンジ部材により連結し、もう一方の相対する側壁を、はね上げ可能に形成した折り畳みコンテナーが、一例として、特許文献１に開示されている。
【特許文献１】実公昭５８−１６５０１号公報
【発明の開示】
【発明が解決しようとする課題】
【０００３】
上述した従来の折り畳みコンテナーにおいては、カード差し部材に挿着されている使用済みのカードの除去を忘れ、依然として、前の折り畳みコンテナーに収納されていた物品に関するカードが、カード差し部材に挿着されているという問題があった。
【０００４】
本発明の目的は、上述した従来の折り畳みコンテナーが有する課題を解決することにある。
【課題を解決するための手段】
【０００５】
本発明は、上述した目的を達成するために、上部フレーム、はね上げ側壁、分割側壁及び底板とを有する折り畳みコンテナーにおいて、分割側壁を構成する上部分割壁及び下部分割壁に跨がってカード差し部材を配設したものである。
【発明の効果】
【０００６】
分割側壁を構成する上部分割壁及び下部分割壁に跨がってカード差し部材を配設したので、空になった折り畳みコンテナーを折り畳む際に、カード差し部材に挿着されている使用済みのカードの除去を忘れても、空になった折り畳みコンテナーを折り畳むことにより、カードが、上部分割壁と下部分割壁との境で折り畳まれ、次に、折り畳みコンテナーを使用する際に、折り畳みコンテナーを組み立てると、上部分割壁と下部分割壁との境で折り畳まれたカードの上部が、突出することになり、従って、取り忘れた使用済みのカードを、確実に、カード差し部材から除去することができる。
【実施例】
【０００７】
以下に、本発明の実施例について説明するが、本発明の趣旨を越えない限り何ら、本実施例に限定されるものではない。
【０００８】
先ず最初に、図１〜図６を用いて、上部フレームＵ，はね上げ側壁Ｔ、上下方向に折り畳み可能な分割側壁Ｄ及び底板Ｓ等から構成されている折り畳みコンテナーＣについて説明する。
【０００９】
上部フレームＵは、相対する長辺枠ｕ１、ｕ２及び相対する短辺枠ｕ３、ｕ４から構成されており、長辺枠ｕ１、ｕ２及び短辺枠ｕ３、ｕ４の長手方向と直交する断面形状が、略逆Ｕ字状に形成されている。長辺枠ｕ１と長辺枠ｕ２とは、同一構造を有しており、また、短辺枠ｕ３と短辺枠ｕ４とも、同一構造を有しているので、以下においては、主として、それぞれ一方の長辺枠ｕ１、ｕ２と短辺枠ｕ３、ｕ４について説明する。
【００１０】
長辺枠ｕ１の内側壁ｕ１’の両端部付近には、下端が開放された縦長の長孔ｕ５が形成されており、また、長辺枠ｕ１と短辺枠ｕ３とで形成されるコーナーには、長辺枠ｕ１と短辺枠ｕ３の下端部から水平方向に延びる棚部ｕ６が形成されている。棚部ｕ６の縁部には、垂直リブｕ６’が立設されており、また、上記の長孔ｕ５は、棚部ｕ６の上方に位置するように配設されている。ｕ７は、長辺枠ｕ１の内側壁ｕ１’に所定の間隔を置いて穿設された一対の透孔であり、また、ｕ８は、短辺枠ｕ３の梁部ｕ３’の上面に、所定の間隔を置いて穿設された一対の透孔である。
【００１１】
はね上げ側壁Ｔは、折り畳みコンテナーＣの短辺側の側壁を形成するものであり、はね上げ側壁Ｔの端壁ｔ１、ｔ１’の上端部に突設された短軸ｔ２、ｔ２’が、上述した上部フレームＵの長辺枠ｕ１の内側壁ｕ１’の両端部付近に形成された縦長の長孔ｕ５コーナーに嵌合することができるように構成されている。
【００１２】
ｔ３は、はね上げ側壁Ｔの内壁ｔ４に形成された略門型形状の案内凹部であり、案内凹部ｔ３は、内壁ｔ４の上端部付近に水平状に形成された水平凹部ｔ３’及び内壁ｔ４の幅方向の両端部付近に垂直状に形成された垂直凹部ｔ３”とから構成されており、垂直凹部ｔ３”は、はね上げ側壁Ｔの高さ方向に端部まで延びており、また、水平凹部ｔ３’は、垂直凹部ｔ３”と連結されているが、はね上げ側壁Ｔの幅方向端部まで延びていない。
【００１３】
ｔ５は、はね上げ側壁Ｔの内壁ｔ４に形成された略門型形状の案内凹部ｔ３に挿着される、同じく、略門型形状の形成されたロック部材である。ロック部材ｔ５の縦枠ｔ５’の幅は、案内凹部ｔ３の垂直凹部ｔ３”の幅と略同じに形成されており、従って、案内凹部ｔ３に挿着されたロック部材ｔ５は、水平方向には、実質的に移動できないように構成されており、また、ロック部材ｔ５の横枠ｔ５”の縦幅は、案内凹部ｔ３の水平凹部ｔ３’の縦幅より、狭く形成されており、従って、ロック部材ｔ５は、垂直方向に、所定量、移動できるように構成されている。なお、ｔ６は、ロック部材ｔ５の横枠ｔ５”に設けられた横長の凹部からなる把手部である。勿論、ロック部材ｔ５の横枠ｔ５”に、横枠ｔ５”から突出した凸部を形成し、把手部とすることもできる。
【００１４】
ロック部材ｔ５の横枠ｔ５”が、案内凹部ｔ３の水平凹部ｔ３’の上面に当接した時点が、ロック部材ｔ５の最上位の位置であり、また、ロック部材ｔ５の横枠ｔ５”が、案内凹部ｔ３の水平凹部ｔ３’の下面に当接した時点が、ロック部材ｔ５の最下位の位置であり、ロック部材ｔ５の最上位の位置においては、ロック部材ｔ５の縦枠ｔ５’の下端部は、はね上げ側壁Ｔの下端部から引っ込んだ位置にあり、ロック部材ｔ５の縦枠ｔ５’の上端部は、はね上げ側壁Ｔの略上端部付近に位置するように、また、ロック部材ｔ５の最下位の位置においては、ロック部材ｔ５の縦枠ｔ５’の下端部は、はね上げ側壁Ｔの下端部から所定量、突出し、ロック部材ｔ５の縦枠ｔ５’の上端部は、はね上げ側壁Ｔの上端部から、所定量、引っ込むように構成されている。
【００１５】
また、案内凹部ｔ３に挿着されたロック部材ｔ５の縦枠ｔ５’の上方には、上述した、上部フレームＵの短辺枠ｕ３、ｕ４の梁部ｕ３’、ｕ４’に穿設された透孔ｕ８が位置するように構成されている。
【００１６】
ｔ７は、案内凹部ｔ３の垂直凹部ｔ３”を覆うカバーであり、カバーｔ７の垂直縁部には、適当数の係合爪ｔ８が突設されており、係合爪ｔ８を、案内凹部ｔ３の垂直凹部ｔ３”の両側に位置するはね上げ側壁Ｔの内壁ｔ４に穿設された係合孔ｔ９に挿着して係合させることにより、案内凹部ｔ３の垂直凹部ｔ３”を覆うことができるように構成されている。勿論、このようなカバーｔ７は、必要に応じて、省略することができる。
【００１７】
分割側壁Ｄは、折り畳みコンテナーＣの長辺辺側の側壁を形成するものであり、上部分割壁Ｄ１と下部分割壁Ｄ２とにより形成されている。上部分割壁Ｄ１の下端部ｄ１には、上部分割壁Ｄ１の外壁ｄ２からやや外側に突出するように、所定の間隔を置いて、雄ヒンジｄ３が配設されている。雄ヒンジｄ３は、上部分割壁Ｄ１の下端部ｄ１から、所定の間隔を置いて、外壁ｄ２から外側に突出するように垂下された支持板ｄ４、ｄ５及び支持板ｄ４、ｄ５間に水平状に張設された水平軸ｄ６から構成されている。また、下部分割壁Ｄ２の外壁ｄ７の上端部には、雄ヒンジｄ３に対応して、雌ヒンジｄ８が配設されており、雌ヒンジｄ８は、下部分割壁Ｄ２の外壁ｄ７から突設された膨出部ｄ９を有し、膨出部ｄ９の先端部には、雄ヒンジｄ３の水平軸ｄ６が嵌着される水平凹部ｄ１０が形成されている。水平凹部ｄ１０の開口溝ｄ１０’の縦幅は、雄ヒンジｄ３の水平軸ｄ６の径より狭く形成されており、水平凹部ｄ１０に嵌着された雄ヒンジｄ３の水平軸ｄ６が、簡単に抜け出ないように構成されている。
【００１８】
上部分割壁Ｄ１に配設された雄ヒンジｄ３の水平軸ｄ６を、下部分割壁Ｄ２に配設された雌ヒンジｄ８の水平凹部ｄ１０に嵌着することにより、上部分割壁Ｄ１と下部分割壁Ｄ２とを連結する。このように雄ヒンジｄ３と雌ヒンジｄ８とを介して連結された上部分割壁Ｄ１と下部分割壁Ｄ２は、雌ヒンジｄ８の水平凹部ｄ１０に嵌着された雄ヒンジｄ３の水平軸ｄ６を中心に、互いの外壁ｄ２、ｄ７が接触する方向に折り畳むことができるように構成されている。
【００１９】
ｄ１１、ｄ１２は、上部分割壁Ｄ１の側端部ｄ１３、ｄ１４の上部肩部に形成された切欠部ｄ１３’、ｄ１４’の垂直壁から水平方向に突設された水平短軸であり、水平短軸ｄ１１、ｄ１２を、上述した上部フレームＵの長辺枠ｕ１と短辺枠ｕ３とで形成されるコーナーに配設された棚部ｕ６に載置することにより、上部フレームＵと、上部分割壁Ｄ１とを連結することができるように構成されている。棚部ｕ６に載置された上部分割壁Ｄ１の水平短軸ｄ１１、ｄ１２は、棚部ｕ６の垂直リブｕ６’により、水平方向の移動が阻止されるとともに、棚部ｕ６に載置された上部分割壁Ｄ１の水平短軸ｄ１１、ｄ１２の上方には、上部フレームＵの長辺枠ｕ１の内側壁ｕ１’の両端部付近に形成された縦長の長孔ｕ５に嵌合されたはね上げ側壁Ｔの短軸ｔ２、ｔ２’が位置しているので、上方への移動も阻止される。同様に、はね上げ側壁Ｔの短軸ｔ２、ｔ２’は、下方に位置する上部分割壁Ｄ１の水平短軸ｄ１１、ｄ１２により、上部フレームＵの長辺枠ｕ１の内側壁ｕ１’に形成された縦長の長孔ｕ５から抜け落ちることが阻止されるように構成されている。
【００２０】
ｄ１５は、下部分割壁Ｄ２の下端部ｄ１６に、所定の間隔を置いて形成された凹部であり、凹部ｄ１５には、水平軸ｄ１７が配設されている。水平軸ｄ１７の機能については、後述する。
【００２１】
底板Ｓは、平板ｓ１の周囲に垂直壁ｓ２、ｓ３、ｓ４、ｓ５が立設されて形成されている。そして、平板ｓ１からは、長辺側の相対する垂直壁ｓ２、ｓ３に沿って、垂直壁ｓ２、ｓ３から所定の間隔を置いて、上端が垂直壁ｓ２、ｓ３側に湾曲した逆Ｊの字状のフック部材ｓ６が立設されている。逆Ｊの字状のフック部材ｓ６は、垂直壁ｓ２、ｓ３の長手方向に、上述した下部分割壁Ｄ２の下端部ｄ１６に形成された凹部ｄ１５に対応して配設されている。
【００２２】
底板Ｓの平板ｓ１に立設されたフック部材ｓ６に、下部分割壁Ｄ２の凹部ｄ１５に配設された水平軸ｄ１７を嵌着することにより、底板Ｓと下部分割壁Ｄ２とを連結することができるように構成されている。なお、フック部材ｓ６の先端部ｓ６’と垂直壁ｓ２、ｓ３の内壁ｓ２’、ｓ３’との間隙を、下部分割壁Ｄ２の凹部ｄ１５に配設された水平軸ｄ１７の径より小さくすることにより、底板Ｓのフック部材ｓ６から、下部分割壁Ｄ２の凹部ｄ１５に配設された水平軸ｄ１７が、簡単に抜け出ることが阻止されている。
【００２３】
ｓ７は、底板Ｓの平板ｓ１に、垂直壁ｓ４、ｓ５に沿って、それぞれ、所定の間隔を置いて穿設された凹部或いは透孔（以下、単に、「透孔」という。）であり、透孔ｓ７には、ロック部材ｔ５の縦枠ｔ５’の下端部が挿着するように構成されている。
【００２４】
上述したように、はね上げ側壁Ｔの短軸ｔ２、ｔ２’を、上部フレームＵの長辺枠ｕ１の内側壁ｕ１’に形成された縦長の長孔ｕ５に嵌合させることにより、上部フレームＵとはね上げ側壁Ｔとが連結され、また、上部分割壁Ｄ１の側端部ｄ１３、ｄ１４の上部肩部に形成された切欠部ｄ１３’、ｄ１４’に配設された水平短軸ｄ１１、ｄ１２を、上部フレームＵの長辺枠ｕ１と短辺枠ｕ３とで形成されるコーナーに配設された棚部ｕ６に載置することにより、上部フレームＵと上部分割壁Ｄ１とが連結され、更に、上部分割壁Ｄ１に配設された雄ヒンジｄ３の水平軸ｄ６を、下部分割壁Ｄ２に配設された雌ヒンジｄ８の水平凹部ｄ１０に嵌着することにより、上部分割壁Ｄ１と下部分割壁Ｄ２とが連結され、更にまた、底板Ｓの平板ｓ１に立設されたフック部材ｓ６に、下部分割壁Ｄ２の凹部ｄ１５に配設された水平軸ｄ１７を嵌着することにより、底板Ｓと下部分割壁Ｄ２とが連結されて、折り畳みコンテナーＣが形成される。
【００２５】
上述したようにして組み立てられた折り畳みコンテナーＣを、折り畳み状態から、組み立てる順序について、主として、図６を用いて説明する。
【００２６】
図６（ａ）には、折り畳みコンテナーＣの短辺側の側壁を形成する、相対する一対のはね上げ側壁Ｔが、上部フレームＵの長辺枠ｕ１の内側壁ｕ１’に形成された長孔ｕ５に嵌合された短軸ｔ２、ｔ２’を中心に、折り畳みコンテナーＣの内部側に回動されて略水平状態に位置しており、また、折り畳みコンテナーＣの長辺側の側壁を形成する、雄ヒンジｄ３と雌ヒンジｄ８とを介して連結された上部分割壁Ｄ１と下部分割壁Ｄ２が、雌ヒンジｄ８の水平凹部ｄ１０に嵌着された雄ヒンジｄ３の水平軸ｄ６を中心に、互いの外壁ｄ２、ｄ７が接触する方向に折り畳まれて、折り畳みコンテナーＣが、全体として、コンパクトに折り畳まれた状態が示されている。
【００２７】
この状態から、上部フレームＵを持ち上げると、雄ヒンジｄ３と雌ヒンジｄ８とを介して連結された上部分割壁Ｄ１と下部分割壁Ｄ２が、雌ヒンジｄ８の水平凹部ｄ１０に嵌着された雄ヒンジｄ３の水平軸ｄ６を中心に、互いの外壁ｄ２、ｄ７が離れる方向に、即ち、上部分割壁Ｄ１と下部分割壁Ｄ２とが平らになる方向に回動する。この状態が図６（ｂ）に示されている。
【００２８】
更に、上部フレームＵを持ち上げると、上部分割壁Ｄ１の外壁ｄ２と下部分割壁Ｄ２の外壁ｄ７とが平らな共通平面を形成するとともに、図６（ｃ）に示されているように、相対する一対のはね上げ側壁Ｔが、上部フレームＵの長辺枠ｕ１の内側壁ｕ１’に形成された長孔ｕ５に嵌合された短軸ｔ２、ｔ２’を中心に下方に回動して、図５に示されているような折り畳みコンテナーＣが組み立てられることになる。
【００２９】
次いで、ロック部材ｔ５の横枠ｔ５”に設けられた把手部ｔ６を押し下げて、ロック部材ｔ５を下動させて、ロック部材ｔ５の縦枠ｔ５’の下端部を、はね上げ側壁Ｔの下端部から突出させるとともに、底板Ｓの平板ｓ１に穿設された透孔ｓ７に挿着させる。このように、はね上げ側壁Ｔの内壁ｔ４に形成された案内凹部ｔ３に挿着されたロック部材ｔ５の縦枠ｔ５’の下端部を、底板Ｓの平板ｓ１に穿設された透孔ｓ７に挿着させることにより、はね上げ側壁Ｔの上方への回動がロックされることになる。この動作は、後述する蓋体Ｈとによる、ロック部材ｔ５の下動状態を表している図４に示されている。しかも、ロック部材ｔ５は、はね上げ側壁Ｔの内壁ｔ４に形成された案内凹部ｔ３に挿着されているので、折り畳みコンテナーＣの外側から、ロック部材ｔ５を操作することができず、従って、後述するロック可能な蓋体Ｈを被せた後は、はね上げ側壁Ｔを外側から押しても、従来の折り畳みコンテナーのように、はね上げ側壁Ｔが回動することがないので、折り畳みコンテナーＣの機密性が向上する。
【００３０】
折り畳みコンテナーＣを折り畳む場合には、ロック部材ｔ５の横枠ｔ５”に設けられた把手部ｔ６を押し上げて、ロック部材ｔ５を上動させて、ロック部材ｔ５の縦枠ｔ５’の下端部を、底板Ｓの平板ｓ１に穿設された透孔ｓ７から抜いて、はね上げ側壁Ｔのロック部材ｔ５によるロック状態を解舒するとともに、はね上げ側壁Ｔを水平方向に回動させ、次いで、雄ヒンジｄ３と雌ヒンジｄ８とを介して連結された上部分割壁Ｄ１と下部分割壁Ｄ２を、雌ヒンジｄ８の水平凹部ｄ１０に嵌着された雄ヒンジｄ３の水平軸ｄ６を中心に、互いの外壁ｄ２、ｄ７が接近する方向に回動させることにより、図６（ａ）に示されているように、折り畳みコンテナーＣを折り畳むことができる。
【００３１】
なお、ｓ８は、底板Ｓの短辺側の垂直壁ｓ４、ｓ５に、それぞれ、所定の間隔を置いて、水平方向に突設された突片であり、突片ｓ８の先端部には、下方に向いた係止部ｓ８’が垂下されている。この突片ｓ８は、はね上げ側壁Ｔが垂直状に回動し、はね上げ側壁Ｔの下端部が、底板Ｓの短辺側の垂直壁ｓ４、ｓ５に当接した際に、はね上げ側壁Ｔの下端部付近に、所定の間隔を置いて穿設された透孔ｔ１０に挿入されるとともに、突片ｓ８の先端部に垂下された係止部ｓ８’が、はね上げ側壁Ｔの内壁面に係止されて、はね上げ側壁Ｔが、簡単に、底板Ｓから離れないように構成されている。
【００３２】
次に、図５及び図７〜図１０を用いて、蓋体Ｈについて説明する。
【００３３】
Ｈ１は、蓋体Ｈの蓋体本体であり、ｈ１は、蓋体本体Ｈ１の板状の水平部であり、水平部ｈ１の周囲からは縁部ｈ２、ｈ３、ｈ４、ｈ５が垂下されている。ｈ６は、水平部ｈ１の略中央部に立設された、平面形状が、略方形状の囲いリブであり、囲いリブｈ６により囲まれた水平部ｈ１の略中央部には、透孔ｈ７が穿設されている。
【００３４】
ｈ８は、縁部ｈ２〜ｈ５に沿って、縁部ｈ２〜ｈ５から所定の幅に水平部ｈ１を上方に膨出させて形成された平面形状が四角形の帯状の凸状部であり、凸状部ｈ８を、蓋体本体Ｈ１の裏側から見た場合には、凹部として形成されている。ｈ９、ｈ１０は、凸状部ｈ８の縁部ｈ２、ｈ３に沿った帯状部分ｈ８’、ｈ８”の略中央部から、該帯状部分ｈ８’、ｈ８”に直交するように囲いリブｈ６まで延びる凸状部ｈ８と同様の凸状部であり、凸状部ｈ９と凸状部ｈ１０とは、互いに、縁部ｈ２、ｈ３方向にずれて配置されている。図７においては、凸状部ｈ９が、縁部ｈ２、ｈ３に沿って、左方向に、また、凸状部ｈ１０が、縁部ｈ２、ｈ３に沿って、右方向に配置されている例が示されている。凸状部ｈ８と同様に、凸状部ｈ９、ｈ１０を、蓋体本体Ｈ１の裏側から見た場合には、凹部として形成されている。
【００３５】
凸状部ｈ９、ｈ１０が当接する囲いリブｈ６には、凸状部ｈ９、ｈ１０に連通する透孔ｈ１１、ｈ１２が穿設されている。そして、水平部ｈ１には、縁部ｈ２〜ｈ５に沿って形成された凸状部ｈ８と、凸状部ｈ８の縁部ｈ２、ｈ３に沿った帯状部分ｈ８’、ｈ８”の略中央部から囲いリブｈ６まで延びる凸状部ｈ９、ｈ１０と、囲いリブｈ６とにより囲まれる、平面形状が略方形状の凹み領域ｈ１’、ｈ１”が形成されている。
【００３６】
凸状部ｈ８の縁部ｈ２に沿った帯状部分ｈ８’と、帯状部分ｈ８’の略中央部から、該帯状部分ｈ８’に直交するように囲いリブｈ６まで延びる凸状部ｈ９により、後述する平面形状が略Ｔ字状のスライドロックバーを収容するガイド部ｈ１３が形成され、また、凸状部ｈ８の縁部ｈ３に沿った帯状部分ｈ８”と、帯状部分ｈ８”の略中央部から、該帯状部分ｈ８”に直交するように囲いリブｈ６まで延びる凸状部ｈ１０により、同じく、後述する平面形状が略Ｔ字状のスライドロックバーを収容するガイド部ｈ１４が形成される。上述したように、凸状部ｈ８、ｈ９、ｈ１０は、蓋体本体Ｈ１の裏側から見た場合には、凹部として形成されているので、これらの凸状部ｈ８、ｈ９、ｈ１０により形成される平面形状が略Ｔ字状のガイド部ｈ１３、ｈ１４も、蓋体本体Ｈ１の裏側から見た場合には、略Ｔ字状の凹部として形成されている。
【００３７】
ｈ１５は、凸状部ｈ８の上面或いは水平部ｈ１の凹み領域ｈ１’、ｈ１”に穿設された係合孔であり、係合孔ｈ１５の１辺から垂下された突片ｈ１５’の先端部には、水平方向に延びる係合爪ｈ１５”が延設されている。このような構成を有する係合孔ｈ１５は、図７に示されている実施例においては、凸状部ｈ８の帯状部分ｈ８’、ｈ８”の上面に、縁部ｈ２、ｈ３に沿って、所定の間隔を置いて配置されており、また、帯状部分ｈ８’、ｈ８”に沿って水平部ｈ１の凹み領域ｈ１’、ｈ１”に、所定の間隔を置いて配置されており、更に、帯状部分ｈ８’、ｈ８”の略中央部から囲いリブｈ６まで延びる凸状部ｈ９、ｈ１０の両側に沿って、水平部ｈ１の凹み領域ｈ１’、ｈ１”に、所定の間隔を置いて配置されている。
【００３８】
ｈ１６は、上述した平面形状が略Ｔ字状のガイド部ｈ１３、ｈ１４に、蓋体Ｈの裏面側から収容される平面形状が略Ｔ字状の一対のスライドロックバーであり、Ｔ字の水平部ｈ１６’の両端部には、折り畳みコンテナーＣの上部フレームＵの相対する長辺枠ｕ１、ｕ２の内側壁ｕ１’、ｕ２’に所定の間隔を置いて穿設された透孔ｕ７に挿入される突出部ｈ１７が形成されており、また、スライドロックバーｈ１６のＴ字の垂直部ｈ１６”の端部には、Ｔ字の垂直部ｈ１６”に略直交するように、平行なリブｈ１８’、ｈ１８”が立設されていおり、平行なリブｈ１８’、ｈ１８”により、係合凹部ｈ１８が形成されている。
【００３９】
ｈ１９は、平面形状が略Ｔ字状の一対のカバーであり、カバーｈ１９の縁部には、カバーｈ１９のＴ字の水平部ｈ１９’の両端部及びカバーｈ１９のＴ字の垂直部ｈ１９”の端部を除いて、垂直リブｈ２０が立設されている。ｈ２１’、ｈ２１”は、Ｔ字の水平部ｈ１９’の外側縁部に立設された垂直リブｈ２０’の両端部付近に設けられた凹部であり、スライドロックバーｈ１６の突出部ｈ１７が挿入できるように構成されている。ｈ２２は、垂直リブｈ２０に、上述した係合孔ｈ１５と同じ間隔で立設された係合片であり、係合片ｈ２２の先端部には、略水平方向に、上述した突片ｈ１５’の先端部に設けられた係合爪ｈ１５”と噛み合う舌片ｈ２２’が突設されている。
【００４０】
ｈ２３は、細長の箱状の操作部材であり、操作部材ｈ２３の下面の略中央部には、短軸ｈ２４が突設されている。操作部材ｈ２３の下面に突設された短軸ｈ２４を、上述した囲いリブｈ６により囲まれた水平部ｈ１の略中央部に穿設された透孔ｈ７に嵌合させるとともに、操作部材ｈ２３を、囲いリブｈ６内に収納することにより、操作部材ｈ２３を、透孔ｈ７に嵌合された短軸ｈ２４を中心に回動することができるように構成されている。
【００４１】
ｈ２５は、囲いリブｈ６に穿設された透孔であり、透孔ｈ２５の両側の囲いリブｈ６の外壁には、平面形状がハの字状に拡張した案内リブｈ２６’、ｈ２６”が設けられている。ｈ２７は、上記の囲いリブｈ６に穿設された透孔ｈ２５に対応して、操作部材ｈ２３の垂直壁ｈ２３’に穿設された透孔であり、また、ｈ２８は、操作部材ｈ２３の底部ｈ２３”に配設された傾斜面ｈ２８’を有する案内ブロックであり、案内ブロックｈ２８は、案内ブロックｈ２８の傾斜面ｈ２８’が、操作部材ｈ２３の垂直壁ｈ２３’に穿設された透孔ｈ２７に対向するように配置されている。なお、ｈ２９は、縁部ｈ２〜ｈ５に沿って形成された凸状部ｈ８の上面に突設されたリブであり、折り畳みコンテナーＣの底面に設けられた、図示されていない同様のリブと嵌合して、蓋体Ｈが被された折り畳みコンテナーＣを積み重ねた際に、折り畳みコンテナーＣの水平方行の移動を制限して、積み重ねられた折り畳みコンテナーＣが倒れることを防止するものである。勿論、このようなリブｈ２９は、適宜、省略することができる。
【００４２】
ｈ３０は、短辺側の縁部ｈ４、ｈ５に沿って配置された凸状部ｈ８の裏面から、それぞれ、所定の間隔を置いて垂下された押し部材であり、本実施例においては、押し部材ｈ３０は、縁部ｈ４に沿って配置された凸状部ｈ８の裏面に、所定の間隔をおいて２個、また、縁部ｈ５に沿って配置された凸状部ｈ８の裏面に、所定の間隔をおいて２個、それぞれ、配設されている。そして、短辺側の縁部ｈ４、ｈ５に沿って配置された凸状部ｈ８の裏面から、それぞれ、所定の間隔を置いて垂下された押し部材ｈ３０は、蓋体Ｈを、折り畳みコンテナーＣに被せた際に、押し部材ｈ３０が、上述した上部フレームＵの短辺枠ｕ３、ｕ４の上面に、所定の間隔を置いて穿設された透孔ｕ８の上方に位置するように配設されている。
【００４３】
ロック部材ｔ５の横枠ｔ５”に設けられた把手部ｔ６を押し下げて、ロック部材ｔ５の縦枠ｔ５’の下端部を、底板Ｓの平板ｓ１に穿設された透孔ｓ７に挿着する、はね上げ側壁Ｔのロック作業が行われなかった場合にも、図４（ａ）に示されている、はね上げ側壁Ｔがロックされていない状態から、図４（ｂ）に示されているように、蓋体Ｈを、折り畳みコンテナーＣに被せることにより、蓋体Ｈに配設された押し部材ｈ３０が、上部フレームＵの短辺枠ｕ３、ｕ４に穿設された透孔ｕ８に挿通されるとともに、ロック部材ｔ５の縦枠ｔ５’の上端部に当接し、ロック部材ｔ５を押し下げるので、ロック部材ｔ５の縦枠ｔ５’の下端部が、底板Ｓの平板ｓ１に穿設された透孔ｓ７に挿着されて、はね上げ側壁Ｔが、ロック部材ｔ５によりロックされることになる。
【００４４】
以下に、上述したような、蓋体本体Ｈ１、スライドロックバーｈ１６、カバーｈ１９、操作部材ｈ２３等の部材からなる、蓋体Ｈの組み立てについて説明する。
【００４５】
先ず最初に、スライドロックバーｈ１６のＴ字の垂直部ｈ１６”の端部に立設された平行なリブｈ１８’、ｈ１８”が、上向きに囲いリブｈ６内に位置するように、囲いリブｈ６に穿設された透孔ｈ１１、ｈ１２に、それぞれ、一対のスライドロックバーｈ１６のＴ字の垂直部ｈ１６”を、蓋体Ｈの裏面側から挿通するとともに、凸状部ｈ８の縁部ｈ２に沿った帯状部分ｈ８’と、帯状部分ｈ８’の略中央部から、該帯状部分ｈ８’に直交するように囲いリブｈ６まで延びる凸状部ｈ９により形成されるガイド部ｈ１３及び凸状部ｈ８の縁部ｈ３に沿った帯状部分ｈ８”と、帯状部分ｈ８”の略中央部から、該帯状部分ｈ８”に直交するように囲いリブｈ６まで延びる凸状部ｈ１０により形成されるガイド部ｈ１４に、それぞれ、一対のスライドロックバーｈ１６を収容する。
【００４６】
次いで、ガイド部ｈ１３、ｈ１４に収容された一対のスライドロックバーｈ１６のＴ字の垂直部ｈ１６”の端部に立設された平行なリブｈ１８’、ｈ１８”により形成される係合凹部ｈ１８に、短軸ｈ２４を挟んで操作部材ｈ２３の両側部分を挿着するとともに、操作部材ｈ２３の下面に突設された短軸ｈ２４を、上述した囲いリブｈ６により囲まれた水平部ｈ１の略中央部に穿設された透孔ｈ７に嵌合させる。
【００４７】
次いで、一対のスライドロックバーｈ１６が収容されたガイド部ｈ１３、ｈ１４の凹部を覆うように、上述した平面形状が略Ｔ字状の一対のカバーｈ１９を、ガイド部ｈ１３、ｈ１４に配置するとともに、カバーｈ１９の垂直リブｈ２０に突設された係合片ｈ２２の舌片ｈ２２’を、上述した凸状部ｈ８の上面或いは水平部ｈ１の凹み領域ｈ１’、ｈ１”に穿設された係合孔ｈ１５の１辺から垂下された突片ｈ１５’の先端部に延設された係合爪ｈ１５”に噛み合わせることにより、カバーｈ１９を、水平部ｈ１の裏側に取り付ける。
【００４８】
上述したようにして、蓋体本体Ｈ１、スライドロックバーｈ１６、カバーｈ１９、操作部材ｈ２３等からなる蓋体Ｈを組み立てる。
【００４９】
次いで、主として、図５及び図１０を用いて、折り畳みコンテナーＣに蓋体Ｈをロック状態に被せる順序について説明する。
【００５０】
先ず最初に、図１０（ａ）に示されているように、操作部材ｈ２３を、透孔ｈ７に嵌合された短軸ｈ２４を中心に、図１０（ａ）において、時計方向に回動させて、平面形状が略Ｔ字状の一対のスライドロックバーｈ１６の突出部ｈ１７を引っ込める。このように、スライドロックバーｈ１６の突出部ｈ１７が引っ込んだ状態の蓋体Ｈを、折り畳みコンテナーＣに被せる。
【００５１】
次いで、図１０（ｂ）に示されているように、操作部材ｈ２３を、透孔ｈ７に嵌合された短軸ｈ２４を中心に反時計方向に回動させて、スライドロックバーｈ１６の突出部ｈ１７を突出させて、特に、図８に示されているように、突出部ｈ１７を、折り畳みコンテナーＣの上部フレームＵの相対する長辺枠ｕ１、ｕ２の内側壁ｕ１’、ｕ２’に所定の間隔を置いて穿設された透孔ｕ７に挿入する。このようにして、折り畳みコンテナーＣに蓋体Ｈをロック状態に被せる。このように、折り畳みコンテナーＣに、蓋体Ｈがロック状態に被蓋された際には、操作部材ｈ２３の垂直壁ｈ２３’と、囲いリブｈ６とが、図９及び図１０（ｂ）に示されているように、接近するように構成されている。
【００５２】
次いで、鍵棒或いは封印紐ｙを、案内リブｈ２６’、ｈ２６”に沿って囲いリブｈ６に穿設された透孔ｈ２５に挿通する。透孔ｈ２５に挿通された封印紐ｙは、操作部材ｈ２３の垂直壁ｈ２３’に穿設された透孔ｈ２７に挿通されるとともに、操作部材ｈ２３の底部ｈ２３”に配設された案内ブロックｈ２８の傾斜面ｈ２８’に沿って上方に偏向されて、操作部材ｈ２３から突出する。このように操作部材ｈ２３から突出された封印紐ｙの端部と、囲いリブｈ６に穿設された透孔ｈ２５側の封印紐ｙの端部とを結束することにより、封印作業を行う。
【００５３】
なお、上述した実施例においては、Ｔ字の水平部ｈ１６’の両端部に、折り畳みコンテナーＣの上部フレームＵの相対する長辺枠ｕ１、ｕ２の内側壁ｕ１’、ｕ２’に所定の間隔を置いて穿設された透孔ｕ７に挿入される突出部ｈ１７を配設したが、必要に応じて、Ｔ字の水平部ｈ１６’の中央部等にも突出部ｈ１７を配設することができる。また、カバーｈ１９の配設を省略することもでき、従って、この場合には、凸状部ｈ８の上面或いは水平部ｈ１の凹み領域ｈ１’、ｈ１”に穿設された係合孔ｈ１５及び該係合孔ｈ１５の１辺から垂下された突片ｈ１５’等は省略されることになる。
【００５４】
上述したように、折り畳みコンテナーＣの上部フレームＵの相対する長辺枠ｕ１、ｕ２の内側壁ｕ１’、ｕ２’に所定の間隔を置いて穿設された複数の透孔ｕ７に挿入可能な複数の突出部ｈ１７を有する一対のスライドロックバーｈ１６を配設したので、気密状態に、蓋体Ｈを折り畳みコンテナーＣに被せることができるとともに、操作部材ｈ２３を回動させて、操作部材ｈ２３に係合された一対のスライドロックバーｈ１６を、同時に作動させるようにしたので、ワンステップで、しかも、迅速に、蓋体Ｈを折り畳みコンテナーＣにロックすることができる。
【００５５】
また、折り畳みコンテナーＣの上部フレームＵの相対する長辺枠ｕ１、ｕ２の内側壁ｕ１’、ｕ２’に所定の間隔を置いて穿設された複数の透孔ｕ７に、スライドロックバーｈ１６の突出部ｈ１７を挿入した後に、操作部材ｈ２３に穿設された透孔ｈ２７と囲いリブｈ６に穿設された透孔ｈ２５に、鍵棒或いは封印紐ｙを挿通することにより、折り畳みコンテナーＣの気密管理を確実に行うことができる。更に、囲いリブｈ６に案内リブｈ２６’、ｈ２６”を配設するとともに、操作部材ｈ２３に傾斜面ｈ２８’を有する案内ブロックｈ２８を配設したので、鍵棒或いは封印紐ｙの挿通及び結束が容易となる。
【００５６】
上述した折り畳みコンテナーＣを構成する上部フレームＵ，はね上げ側壁Ｔ、上部分割壁Ｄ１、下部分割壁Ｄ２、底板Ｓ及び蓋体Ｈ等は、合成樹脂により、それぞれ、一体に形成することが好ましい。特に、上部フレームＵ，はね上げ側壁Ｔ、上部分割壁Ｄ１、下部分割壁Ｄ２、底板Ｓを連結するヒンジも、別途製造された金属製ヒンジを利用することなく、上記の部材と一体に、合成樹脂で成形することが好ましい。このように、折り畳みコンテナーＣ全体を、合成樹脂で成形することにより、リサイクルが容易となり、省資源化が実現できる。
【００５７】
次に、折り畳みコンテナーＣの一部拡大斜視図である図１１及び図１２を用いて、はね上げ側壁Ｔをロックするロック部材ｔ５等の別の実施例について説明する。
【００５８】
図１１に示されている実施例においては、ロック部材ｔ５の縦枠ｔ５’の下端部に配設されたピンｔ１２に、レバーｔ１３が枢着されており、また、上述した案内凹部ｔ３の垂直凹部ｔ３”の下端部には、はね上げ側壁Ｔの端壁ｔ１’方向に略水平方向に屈曲した水平凹部ｔ１４が形成されている。更に、この実施例においては、上述した底板Ｓの平板ｓ１に配設された凹部或いは透孔ｓ７に代えて、下部分割壁Ｄ２の内壁の端部付近に透孔或いは凹部ｄ１８が形成されている。なお、折り畳みコンテナーＣの機密性をより確保するためには凹部を形成することが好ましい。
【００５９】
図１１において、レバーｔ１３が実線で示されている、ロック部材ｔ５が上方に位置している状態においては、レバーｔ１３は、はね上げ側壁Ｔの端壁ｔ１’から引っ込んだ位置にある。そして、この状態からロック部材ｔ５を下方に移動させると、レバーｔ１３は、ピンｔ１２を中心に回動しながら水平凹部ｔ１４の底面ｔ１４’に沿って移動し、レバーｔ１３の先端部ｔ１３’が、二点鎖線で示されているように、はね上げ側壁Ｔの端壁ｔ１’から突出して、下部分割壁Ｄ２の内壁の端部付近に形成された透孔或いは凹部ｄ１８に挿着され、はね上げ側壁Ｔがロックされることになる。なお、図示されていないが、ロック部材ｔ５のもう一方の縦枠ｔ５’、案内凹部ｔ３のもう一方の垂直凹部ｔ３”及び　もう一方の下部分割壁Ｄ２も、同様の構成を有している。
【００６０】
図１２に示されている実施例においては、垂直凹部ｔ３”の下端部に形成された水平凹部ｔ１４が、はね上げ側壁Ｔの中央部方向に延設されており、水平凹部ｔ１４のはね上げ側壁Ｔの中央部方向に延設された部分に短軸ｔ１５が配設されており、また、ロック部材ｔ５の縦枠ｔ５’の下端部には、ピンｔ１６が配設されている。そして、レバーｔ１７の一端は、短軸ｔ１５に枢着されており、また、レバーｔ１７の略中央部は、ピンｔ１６に枢着されている。
【００６１】
図１２において、レバーｔ１７が実線で示されている、ロック部材ｔ５が上方に位置している状態においては、レバーｔ１７は、上方に回動しており、はね上げ側壁Ｔの端壁ｔ１’から引っ込んだ位置にある。この状態からロック部材ｔ５を下方に移動させると、レバーｔ１７は、ピンｔ１５を中心に下方に回動し、レバーｔ１７の先端部ｔ１７’が、二点鎖線で示されているように、はね上げ側壁Ｔの端壁ｔ１’から突出して、下部分割壁Ｄ２の内壁の端部付近に形成された透孔或いは凹部ｄ１８に挿着され、はね上げ側壁Ｔがロックされることになる。なお、図示されていないが、ロック部材ｔ５のもう一方の縦枠ｔ５’、案内凹部ｔ３のもう一方の垂直凹部ｔ３”及び　もう一方の下部分割壁Ｄ２も、同様の構成を有している。
【００６２】
次に、図１、図２及び図５を用いて、カード差し部材Ｅについて説明する。
【００６３】
本実施例においては、はね上げ側壁Ｔに配設されるカード差し部材Ｅ１は、はね上げ側壁Ｔの外壁ｔ１１の所定の位置に設けられた正面形状が方形状の凹部ｅ１及び外壁ｔ１１から凹部ｅ１の内側に突設された所定数の係止爪ｅ２により構成されている。
【００６４】
一方、分割側壁Ｄに配設されたカード差し部材Ｅ２は、分割側壁Ｄを構成する上部分割壁Ｄ１と下部分割壁Ｄ２とに跨がって配設されている。即ち、図示されていないカードが挿着される正面形状が方形状の凹部ｅ３は、その一部凹部ｅ３’が上部分割壁Ｄ１に設けられており、また、他の一部凹部ｅ３”が下部分割壁Ｄ２に設けられている。なお、ｅ４は、上述したはね上げ側壁Ｔに配設されるカード差し部材Ｅ１の係止爪ｅ２と同様の係止爪であり、下部分割壁Ｄ１の外壁ｄ７から凹部ｅ３”の内側方向に、外壁ｄ７を延設することにより、所定数、形成されている。なお、係止爪ｅ４は、上部分割壁Ｄ１に設けられた凹部ｅ３’には配設されていない。
【００６５】
分割側壁Ｄに配設されたカード差し部材Ｅ２を、分割側壁Ｄを構成する上部分割壁Ｄ１と下部分割壁Ｄ２とに跨がって配設したので、空になった折り畳みコンテナーＣを折り畳む際に、カード差し部材Ｅ２に挿着されている使用済みのカードの除去を忘れても、空になった折り畳みコンテナーＣを折り畳むことにより、カードが、上部分割壁Ｄ１と下部分割壁Ｄ２との境で折り畳まれ、次に、折り畳みコンテナーＣを使用する際に、折り畳みコンテナーＣを組み立てると、上部分割壁Ｄ１と下部分割壁Ｄ２との境で折り畳まれたカードの上部が、係止爪ｅ４が配設されていない上部分割壁Ｄ１に設けられた凹部ｅ３’から突出することになり、従って、取り忘れた使用済みのカードを、確実に、カード差し部材Ｅ２から除去することができる。
【００６６】
本発明は、以上説明したように構成されているので、以下に記載する効果を奏するものである。
【００６７】
はね上げ側壁の内側に、下端部が底板に設けられた凹部に挿着可能なロック部材を配設したので、折り畳みコンテナーの外部からのロック解舒が阻止でき、従って、折り畳みコンテナーの機密性が向上する。
【００６８】
ロック部材の上端部が位置する上部フレームに、蓋体の裏面に垂下された押し部材が挿通可能な透孔を穿設したので、はね上げ側壁のロック作業が行われなかった場合にも、折り畳みコンテナーに蓋体を被せることにより、蓋体に配設された押し部材が、ロック部材を押し下げ、確実に、はね上げ側壁をロックすることができる。
【００６９】
分割側壁を構成する上部分割壁及び下部分割壁に跨がってカード差し部材を配設したので、空になった折り畳みコンテナーを折り畳む際に、カード差し部材に挿着されている使用済みのカードの除去を忘れても、空になった折り畳みコンテナーを折り畳むことにより、カードが、上部分割壁と下部分割壁との境で折り畳まれ、次に、折り畳みコンテナーを使用する際に、折り畳みコンテナーを組み立てると、上部分割壁と下部分割壁との境で折り畳まれたカードの上部が、突出することになり、従って、取り忘れた使用済みのカードを、確実に、カード差し部材から除去することができる。
【００７０】
蓋体に、折り畳みコンテナーの内壁に設けた複数の孔に挿入可能な複数の突出部を有する一対のスライドロックバーを配設したので、気密状態に、蓋体を折り畳みコンテナーに被せることができるとともに、操作部材を回動させて、操作部材に係合された一対のスライドロックバーを、同時に作動させるようにしたので、ワンステップで、しかも、迅速に、蓋体を折り畳みコンテナーに被せることができる。
【００７１】
折り畳みコンテナーの内壁に設けた複数の孔に、スライドロックバーの突出部を挿入した後に、操作部材の側壁に穿設された透孔とリブに穿設された透孔に、鍵棒或いは封印紐等を挿通することにより、折り畳みコンテナーの気密管理を確実に行うことができる。また、リブに案内板を配設したことにより、上記の操作部材の側壁に穿設された透孔とリブに穿設された透孔への鍵棒或いは封印紐等の挿通が容易となる。
【図面の簡単な説明】
【００７２】
【図１】図１は本発明の折り畳みコンテナーの分解斜視図である。
【図２】図２は折り畳みコンテナーを構成する上部フレーム、分割側壁、底板等の一部拡大分解斜視図である。
【図３】図３は折り畳みコンテナーと蓋体の角部の拡大分解斜視図である。
【図４】図４は折り畳みコンテナーの内部から見たはね上げ側壁と蓋体等の一部断面を含む正面図である。
【図５】図５は折り畳みコンテナーと蓋体の斜視図である。
【図６】図６は折り畳みコンテナーの組み立て順序を示す折り畳みコンテナー斜視図である。
【図７】図７は蓋体の分解斜視図である。
【図８】図８は蓋体のスライドロックバーの突出部付近の部分拡大斜視図である。
【図９】図９は蓋体の操作部材及びスライドロックバー等の部分拡大斜視図である。
【図１０】図１０は蓋体の裏面図である。
【図１１】図１１は折り畳みコンテナーの別の実施例の一部拡大斜視図である。
【図１２】図１２は折り畳みコンテナーの更に別の実施例の一部拡大斜視図である。
【符号の説明】
【００７３】
Ｃ・・・・・・・・折り畳みコンテナー
Ｄ・・・・・・・・分割側壁
Ｄ１・・・・・・・上部分割壁
Ｄ２・・・・・・・下部分割壁
Ｅ１、Ｅ２・・・・カード差し部材
Ｈ・・・・・・・・蓋体
Ｓ・・・・・・・・底板
Ｔ・・・・・・・・はね上げ側壁
Ｕ・・・・・・・・上部フレーム
ｈ１６・・・・・・スライドロックバー
ｔ３・・・・・・・案内凹部
ｔ５・・・・・・・ロック部材
【図１】
2004083142.tif 000003
【図２】
2004083142.tif 000004
【図３】
2004083142.tif 000005
【図４】
2004083142.tif 000006
【図５】
2004083142.tif 000007
【図６】
2004083142.tif 000008
【図７】
2004083142.tif 000009
【図８】
2004083142.tif 000010
【図９】
2004083142.tif 000011
【図１０】
2004083142.tif 000012
【図１１】
2004083142.tif 000013
【図１２】
2004083142.tif 000014